(57)【要約】【課題】電気などの駆動エネルギーを消費することなく、外部環境温度に応じて水の供給を制御することのできる建造物冷却システムを提供すること。【解決手段】外部環境温度変化に対して比較的安定した温度の水を供給する給水塔１１と、外部環境温度変化に応じて温度変化し易い水供給路１２と、例えば３５℃以上で形状が変形しバルブを開放する形状記憶合金バネを使用した温度感知バルブ１３と、水を蒸発させることにより周囲温度を吸収する冷却部１４を備える建造物冷却システム１０とすることにより、水供給路１２の水が３５℃以上になると駆動エネルギーなしに温度感知バルブ１３を開き、水供給路１２の水を自動的に供給することを可能とした。また、水供給路１２の水をすべて供給し、給水塔から低温の水が供給されると、温度感知バルブ１３が閉じて、水の供給を停止する。【選択図】図１
2009057772.tif 000002
【特許請求の範囲】
【請求項１】
建物の屋外スラブに設けられる冷却システムであって、
冷媒として使用する水を供給する水供給部と、
一端が前記水供給部に接続されており、前記水供給部から水を供給する水供給路と、
前記水供給路の他端に接続されており、通路を開閉する弁部材及び所定の温度により変形して前記弁部材の開閉弁を駆動する形状記憶合金バネを備えたバルブであって、前記水供給路内の前記水が所定の温度以下のときには前記弁部材により前記通路を閉じており、前記水供給路内の水が所定の温度以上となったときに、前記形状記憶合金バネが変形して前記弁部材を駆動して前記通路を開放する温度感知バルブと、  
前記温度感知バルブを解放することにより供給される前記水を用いて冷却する冷却部と、を備えることを特徴とする建造物冷却システム。
【請求項２】
前記水供給路は外気に曝されており、前記水供給路に滞留している滞留水を外気温または太陽光を含む外部環境によって温め、
前記温度感知バルブは、前記滞留水が前記所定の温度以上となったときに、前記弁部材を開き、前記水供給路に滞留している前記滞留水を全て放出した後に、水供給路から供給される前記滞留水より低い温度の水を感知したときに前記弁部材を閉じることを特徴とする請求項１に記載の建造物冷却システム。
【請求項３】
前記水供給路は、前記温度感知バルブの一度の開閉により必要となる所定の量の水を貯蔵することを特徴とする請求項２に記載の建造物冷却システム。
【請求項４】
前記水供給路は、外気温を前記水に伝達する熱伝導率の高い鋼管、ステンレス管、銅管または耐腐食性のアルミ管等の金属材料からなることを特徴とする請求項２または３に記載の建造物冷却システム。
【請求項５】
前記水供給路は、屋外スラブ平面と平行な面に設けられ、外気に接する表面積を大きくするように、幅広で厚みの薄い断面が扁平な配管からなることを特徴とする請求項５に記載の建造物冷却システム。
【請求項６】
前記水供給路は、外気に接する表面積を大きくするように、配管を屋外スラブ平面と平行な面内に屈曲蛇行させて配管長を長くしたことを特徴とする請求項５に記載の建造物冷却システム。
【請求項７】
請求項５または請求項６に記載の供給路は、前記供給路の配管を載置するかまたは挿入する挿入部を有する板状部材を備えており、前記配管を板状部材に固定して、配管と板状部材が一体化したパネルを構成していることを特徴とする建造物冷却システム。
【請求項８】
さらに、前記温度感知バルブの上流又は下流側に、前記水の通路を開閉する第２のバルブを備えており、降雨時に前記水の通路を閉じることを特徴とする請求項４に記載の建造物冷却システム。
【請求項９】
さらに、雨水センサを備え、該雨水センサにより降雨を感知したときに、前記第２のバルブを駆動して、前記水の通路を閉じることを特徴とする請求項８に記載の建造物冷却システム。
【発明の詳細な説明】
【技術分野】
【０００１】
本発明は、外部環境の温度変化に応じて建造物を効率的に冷却することのでき、水資源を効率的に利用できる上に低コストでメンテナンスが容易な建造物冷却システムに関する。例えば、これのシステムは建物の屋上あるいは中層階または低層階におけるテラスの冷却などに使用する。
【背景技術】
【０００２】
マンションやオフィスビル、その他の建造物においては、その屋上スラブや外壁等への直射日光等により最上階の部屋が高温になりやすい。そのため、雨水を小さな複数の貯水用凹部に貯留し、保水性ブロックにより蒸発させる冷却構造（特許文献１）が提案されている。また、屋上に保水ブロックを敷き、保水ブロックの側面に溝をあけてその溝に灌水管を通して水を灌水し、蒸発冷却で屋上表面を冷却する発明も提案されている（特許文献２）。
【特許文献１】特開２００２−１８０５６２号公報
【特許文献２】特開２００４−１３２１４３号公報
【発明の開示】
【発明が解決しようとする課題】
【０００３】
しかし、特許文献１の冷却構造は、雨水を溜めておくものであるため、長期間雨が降らずに真夏日が続くときにこそ屋上冷却が必要であるにもかかわらず、長期間降雨がないと冷却効果を得ることができない。また、特許文献２の冷却方法は、常時水を供給するか又は水の供給を人手により制御することになるので天気や外気温の状況に応じて適量の水の供給を細かに制御することが難しい。また、特許文献１及び２の冷却方法は、いずれも、屋上等の工事のときに同時に敷設するかまたは大規模な屋上工事が必要になり、敷設工事費や材料費が高くなるという問題がある。
【０００４】
本発明は、上記のような従来技術の問題点に鑑みてなされたものであり、既存の設備を利用しつつ屋上等建造物の冷却が可能な建造物冷却システムを提供することを目的とする。最近では、高層ビルの中層階や低層階にも、テラスなどを設ける場合があり、これらのテラスは人々が寛ぐオープンエアデッキ等の空間であるため、本発明は建物の屋上あるいは中層階または低層階におけるテラスの冷却などにも使用できる。
【課題を解決するための手段】
【０００５】
上記課題を解決するために、請求項１に記載の発明は、建物の屋外スラブに設けられる冷却システムであって、
冷媒として使用する水を供給する水供給部と、
一端が前記水供給部に接続されており、前記水供給部から水を供給する水供給路と、
前記水供給路の他端に接続されており、通路を開閉する弁部材及び所定の温度により変形して前記弁部材の開閉弁を駆動する形状記憶合金バネを備えたバルブであって、前記水供給路内の前記水が前記所定の温度以下のときには前記弁部材により前記通路を閉じており、前記水供給路内の水が所定の温度以上となったときに、前記形状記憶合金バネが変形して前記弁部材を駆動して前記通路を開放する温度感知バルブと、  
前記温度感知バルブを解放することにより供給される前記水を用いて冷却する冷却部と、を備えることを特徴とする。
【０００６】
請求項１に記載の発明によると、形状記憶合金バネの作動温度を例えば所定温度３５℃〜４０℃等の所定の温度に設定することにより、所定の温度に達したら温度感知バルブが自動的に開き、所定の温度以下になったら温度感知バルブが自動的に閉じるように構成することが可能となる。これにより、温度感知バルブは水の温度変化だけで自動的に開閉するので、外部駆動源およびセンサが不要であるにも関わらず、外部環境温度に対応して水の供給を自動的に制御することが可能となり、水資源の無駄な消費を抑制し、効率的な使用が可能となる。また、既存システムに温度感知バルブを取り付けることだけで、本建造物冷却システムを構築することができ、設置費用を抑制することができる。さらに、シンプルな構造であるのでメンテナンスも容易である。
【０００７】
また、請求項２に記載の発明は、前記水供給路が外気に曝されており、前記水供給路に滞留している滞留水を外気温または太陽光を含む外部環境によって温め、前記温度感知バルブは、前記滞留水が前記所定の温度以上となったときに、前記弁部材を開き、前記水供給路に滞留している前記滞留水を全て放出した後に、水供給路から供給される前記滞留水より低い温度の水を感知したときに前記弁部材を閉じることを特徴とする。
【０００８】
請求項２に記載の発明によると、水供給路を外気に直接さらすことにより、外部環境の温度変化をより正確に温度感知バルブに伝達することが可能となり、より適切な水の供給が可能となる。
【０００９】
また、請求項３に記載の発明は、水供給路が、温度感知バルブの一度の開閉により必要となる所定の量の水を貯蔵することを特徴とする。建造物冷却システムでは、冷却部の種類や規模や外部環境（外気温や天気）によって、単位時間当たりの水の消費量が異なる。請求項３に記載の発明によると、水供給路内に貯蔵する水の量を設備環境等に応じて変えることにより、一回のバルブ解放により供給される水が適量となるようにすることができる。
【００１０】
また、請求項４に記載の発明は、水供給路が、外気温を前記水に伝達する熱伝導率の高い鋼管、ステンレス管、銅管または耐腐食性のアルミ管等の金属材料からなることを特徴とする。熱伝導率の高い材料を用いることにより、水供給路内に貯蔵されている水に外気温をより正確に伝達可能となる。たとえば、このような材料として、鋼管、ステンレス管、銅管または耐腐食性のアルミ管等の金属管を使用することができる。
【００１１】
また、請求項５に記載の発明は、水供給路が、屋外スラブ平面と平行な面に設けられ、外気に接する表面積を大きくするように、幅広で厚みの薄い断面が扁平な配管からなることを特徴とする。これにより、外気温だけでなく、直射日光から受ける熱を水供給路の水に伝達可能となる。
【００１２】
また、請求項６に記載の発明は、前記水供給路は、外気に接する表面積を大きくするように、配管を屋外スラブ平面と平行な面内に屈曲蛇行させて、配管長を長くしたことを特徴とする。これにより、外気に接する表面積がより多くなり、外気温をより正確に捉えることが可能となる。
【００１３】
請求項７に記載の発明は、前記供給路の配管を載置するかまたは挿入する挿入部を有する板状部材を備えており、前記配管を板状部材に固定して、配管と板状部材が一体化したパネルを構成していることを特徴とするものであり、このような構成とすることにより、外気温を板状部材からも伝えることができる。さらに、外気温とパネル内の配管温度が外気温に到達するのを促進できる。直射日光から受ける熱をより多く集めることができるので、より効率よく配管を暖めることができる。
【００１４】
また、請求項８に記載の発明は、さらに、前記温度感知バルブの上流または下流に、前記水の通路を開閉する第２のバルブを備えており、降雨時に前記水の通路を閉じることを特徴とする。請求項８に記載の発明によると、降雨時には、手動または自動的に第２のバルブを閉じることができる。これにより、温度感知バルブが開いても冷却部への水の供給を停止することが可能となる。降雨時には、冷却部に雨水が供給されているので、水供給源から水資源を供給する必要がない。このような場合に、水の供給を停止することにより、水資源の無駄な消費を抑制可能となる。また、冷却部への過剰な水の供給を防止可能となる。
【００１５】
また、請求項９に記載の発明は、さらに、雨水センサを備え、該雨水センサにより降雨を感知したときに、前記第２のバルブを駆動して、前記水の通路を閉じることを特徴とする。請求項９に記載の発明によると、降雨時には、雨水センサが雨水を検知して、電磁弁等からなる第２のバルブを自動的に閉じる。これにより、人手を介することなく、降雨時を含む水資源の管理を自動的に制御することができ、より効率的に水資源の無駄な消費を抑制し、また、冷却部への過剰な水の供給を防止することが可能となる。
【発明の効果】
【００１６】
本発明によれば、形状記憶合金を用いた２方向駆動アクチュエータにより開閉弁を駆動する形状記憶合金開閉バルブ（温度感知バルブ）を用いて、周囲環境温度及びバルブを通過する水の温度に応じて、外部エネルギーを消費することなく温度感知バルブを開閉する。すなわち、形状記憶合金の作動温度以上になると形状記憶合金バネが記憶している形状に変形してバルブを開き、作動温度以下になると元の位置にもどりバルブを閉じる。このように、環境温度が上昇し冷媒の温度が上昇することにより、自動的にバルブを開閉するのでバルブ駆動装置やセンサが不要となり、制御エネルギーや駆動エネルギーが不要となる。
【００１７】
また、請求項２の発明では、一定量の水が外気（周囲の温度）や太陽熱で温まるように構成することにより、暖まった一定量の水が通過する間はバルブを解放し、暖まっていない水がバルブに到達すると、バルブが閉じるようにすることで、一度に流す水の量を制御することが可能となる。これにより、バルブ解放時に流す水の量を制御することができ、水資源を有効に利用することができ、環境に極めてやさしいシステムを提供することができる。
【００１８】
さらに、既存の設備である給水塔や水道水供給源と、すでに設置されている放熱パネルや芝生などの植物や樹木栽培地のような冷却施設間に形状記憶合金バルブを接続するだけで、本建造物冷却システムを導入することができるので、少ないコストで設置することが可能である。また、設備がシンプルであるので、メンテナンスも容易である。
【発明を実施するための最良の形態】
【００１９】
次に、本発明の実施形態を、図面を参照して説明する。なお、各実施形態の説明において同様の部位には同一の符号を付すこととし、重複した説明を省略する。
【００２０】
図１は、本発明の一実施形態にかかる建造物冷却システム１０の構成を模式的に示す外観斜視図である。図１（ａ）は、ビルの屋上スラブ５０上に本発明の一実施例にかかる建造物冷却システム１０を設置した例であり、冷媒である水の供給源として、マンション等の屋上に設置される給水塔１１を利用する例を示している。この実施形態では、真夏のように、外気の温度が水道水等の温度よりも一定温度以上高くなる場合に作動する建造物冷却システムを想定している。図１（ｂ）は、建造物冷却システム１０に使用する水供給路１２の他の実施例を示す斜視図である。
【００２１】
本発明の一実施形態にかかる冷却システム１０では、一端が給水塔１１に接続されて給水塔１１から水を供給する配管部（水供給路）１２と、水供給路１２の他端に接続されている温度感知バルブ１３と、温度感知バルブ１３が解放されることにより水が供給されて、水の気化熱により冷却する冷却部１４とが設けられている。
【００２２】
給水塔１１は、ビル全体に常に一定の水圧で水道水を供給することができるように、ビルの屋上等のように高い位置に設けられており、給水塔１１内には常時、比較的大量の一定の水が蓄えられている。したがって、給水塔１１からは一定の圧力で水が供給されている。また、大量の水が蓄えられているので、外気温が上昇しても貯蔵水は外気温の影響を受けにくく、貯蔵水の温度が外気温と同一になることはほとんどない。
【００２３】
図１では冷却部１４として、保水機能を備える冷却シートを敷設した例を示している。保水シートは水分を吸収し分散保持する機能を有しており、保持した水分は表面から徐々に蒸発する。水分の蒸発時に気化潜熱により外部から熱を吸収するため、周囲の温度が下がり、保水シートの周囲環境が冷却される。従って、保水シートが冷却機能を発揮するためには、保水シートに水を供給して蒸発させなければならない。そのため、保水シートの内部には、水を保水シート内部に分散供給するためのシート内配水管１５が設けられている。図１では、冷却部１４として保水シートを用いた例を示しているが、冷却部１４は、供給される水を利用して周辺環境の温度を下げる機能を備えるものであれば、どのようなものであっても良く、特段の制限はないが、通常は、冷却部の周囲の水冷による直接冷却と、水冷した部材からの水の気化による気化熱による冷却が考えられる。
【００２４】
例えば、屋上に芝生や樹木などの植物を植え込み、屋上緑化を主目的として屋上に設置されている既存の設備を冷却部１４として利用することもできる。これらの設備も、植物に水を供給することにより葉から水分が蒸発して気化熱により冷却効果を発揮することができるので、本発明の冷却部１４として機能する。従って、これらの植物利用の植栽設備を冷却部１４として用いることも本発明の想定する範囲に含まれる。また、先行技術１及び特許文献２に示した冷却ブロック等を冷却部１４として用いることも可能である。冷却ブロックを用いる場合、直接ブロックに配管溝を加工して冷却ブロックに水を供給しても良いし、遮水性シート上に、導水性シートとクッション材または土砂を順に配設し、さらにクッション材又は土砂上に保水性ブロックを配設するなどすれば良い。
【００２５】
温度感知バルブ１３は、形状記憶合金バネの温度による変形により、バルブを開閉するための弁部材を駆動するものである。形状記憶合金バネが異なる温度で２方向に変形するように形状記憶合金に２種類の形状を記憶させたものでもよいが、形状記憶合金バネと通常のバネを互いに押し合うように組み合わせることにより、２方向アクチュエータとして弁部材を開閉動作するよう構成することにより、より安定的な駆動を確保することが可能となる。
【００２６】
図２に、形状記憶合金バネと鋼材等でできた通常のバネ（以下、通常のバネを「バイアスバネ」と称する）とを組み合わせて構成した２方向アクチュエータによる温度感知バルブの典型的な構成例を示し、図２を用いてその基本動作原理を説明する。図２は、本発明に使用可能な温度感知バルブの一例として、形状記憶合金バネ３５とバイアスバネ３６を用いた円柱形状の温度感知バルブ１３を、外枠の半分を取り除いて内部が見えるように示した一部破断斜視図である。図３（ａ）は、図２に示す温度感知バルブ１３の弁部材３２が閉じた状態を模式的に示す断面図、図３（ｂ）はバルブの弁部材３２が開いた状態を模式的に示す断面図である。
【００２７】
温度感知バルブ１３は、バルブ枠体２０と、弁部材３２の開閉動作を行う駆動部材とを備えている。バルブ枠体２０には、入口開口２５を有する入口隔壁２１と、弁部開口２６を有する開閉部隔壁２２と、出口開口２７を有する出口隔壁２３とが、一体的に設けられている。開閉隔壁２２の上部には、バネ台座３１の移動位置を規制するスペース保持部材２４が固定されている。
【００２８】
駆動部材は、形状記憶合金バネ３５と、バイアスバネ３６と、バルブ枠体２０の中央部に摺動可能に取り付けられる駆動軸部３０を備えている。駆動軸部３０には、上部に形状記憶合金バネ３６が係合するバネ台座３１が固定されており、その下方に一定の間隔をおいて弁部材３２が固定されている。弁部材３２の裏面はバイアスバネ３６が係合するバネ台座としての機能も有している。弁部材３２は突出部３３を備えており、突出部３３により弁部開口２６を開閉する。
【００２９】
形状記憶合金バネ３５としては、例えばニッケルとチタン等からなるＮＴバネで構成することができる。バイアスバネ３６は、鋼材または耐腐食性の高い材料により構成することができる。形状記憶合金バネの作動温度は、形状記憶合金の組成、加工条件、記憶熱処理温度によって制御できることから、これらを適宜設定して、形状記憶合金バネを所定の作動温度に設定し、温度感知バルブの開閉を制御することができる。
【００３０】
形状記憶合金バネ３５は、上端がバルブ枠体２０の入口隔壁２１と係合し、下端が駆動軸部３０のバネ台座３１と係合するように取り付けられている。バイアスバネ３６は、上端が駆動軸部３０の弁部材３２の裏面と係合し、下端がバルブ枠体２０の出口隔壁２３と係合するように取り付けられる。これにより、駆動軸３０は、バルブ枠体２０の中で、形状記憶合金バネ３５とバイアスバネ３６により上下方向から押圧された状態となり、弾性力の強い方のバネにより他方のバネが変形した状態が定常状態となる。
【００３１】
形状記憶合金バネ３５は、作動温度以上となった場合に、バネが伸びる方向に形状変化するように形状記憶されている。また、バネの弾性力は、内部の水の温度が形状記憶合金バネ３５の記憶している所定の温度よりも低い場合には、形状記憶合金バネ３５よりもバイアスバネ３６の弾性力が強く、形状記憶合金バネ３５が所定の温度以上となり伸びたときには、形状記憶合金バネ３５の弾性力がバイアスバネ３６の弾性力よりも強くなるように構成されている。
【００３２】
従って、所定の温度以下では、図３（ａ）に示す通り、形状記憶合金バネ３５はバイアスバネ３６に付勢されて縮んだ状態となっている。この状態では、バイアスバネにより、弁部材３２の突出部３３が開閉隔壁部２２の下端に当接して弁部開口２６を塞いでいる。従って、温度感知バルブ１３は閉じており、水供給路１２の水は温度感知バルブを通過することはできない。
【００３３】
水供給路１３の水が外気温又は太陽光等により温められて所定の温度以上になると、形状記憶合金バネ３５が記憶形状に変形し、バイアスバネ３６の弾性力に抗して伸びることによりバイアスバネ３６を押し下げ、図３（ｂ）の状態となる。バイアスバネ３６が押し下げられると弁部材３２も下方に移動するので、弁部開口３２が開放されて、温度感知バルブ１３内を水が通過することが可能となる。水供給路１２の水には給水塔１１により一定の圧力がかかっているので、温度感知バルブ１３が開くと、水は温度感知バルブ１３を通過して冷却部１４に供給される。
【００３４】
温度感知バルブ１３が開くとまず水供給路１２内の水が冷却部１４に供給され、引き続き給水塔１１から供給される水が供給される。しかし、給水塔１１には大量の水が貯蔵されているので、給水塔１１内の水の温度は外気温の影響を受けにくいため、夏場は、給水塔内の水は外気より低い温度に維持されている。したがって、温度感知バルブ１３が一定時間開放されて、給水塔からの水が温度感知バルブ１３に到達すると、水の温度が所定の温度（作動温度）よりも低いので、形状記憶合金バネ３５は記憶した形状を維持できなくなり、バイアスバネ３６の弾性力に負けて再び図３（ａ）の状態に移行する。これにより、弁部材３２により弁部開口２６が閉じられて、冷却部１４への水の供給は停止される。
【００３５】
水供給路１２は、内部の水が外気温により温められやすいように表面積を大きくすることが望ましい。図１（ａ）に示す水供給路１２は、表面積を大きくするために薄く平べったい（扁平な）配管形状をしている。これにより、水供給路１２の内部の水は外気温のみならず、太陽光の直射日光が強いときには、直射日光により効率よく温められるので、外気温及び天気の状態を比較的正確に水供給路１２内の水に反映させることができる。
【００３６】
また、図１（ｂ）に示すような細くて長い配管を用いて水供給路１２ｂを構成することも可能である。このようにすることにより、表面積をより大きくすることが可能となり、外気温をより正確に捉えることができる。さらに、図１（ｃ）、図１（ｄ）に示すように、裏面に平坦な金属板を接続することも、平坦な金属板を配管となる凹みを設けることにより、水供給路を形成することも可能である。これにより、水供給路の表面積をさらに大きくすることが可能となる。又、水供給路１２，１２ｂに貯蔵する量が、一回の温度感知バルブ１３の開放により、供給される水の量となる。従って、温度感知バルブ１３の設定温度（作動温度）、及び冷却部１４に必要な水の量を勘案して、水供給路１２に貯蔵する水の量を決定することが好ましい。
【００３７】
図４は、本発明にかかる建造物冷却システムの基本動作を示すフローチャートである。本発明にかかる温度感知バルブ１３は形状記憶合金バネ３５により制御されるので、設置した直後からこの基本動作を開始する。水供給路１２の水は温度感知バルブ１３内の形状記憶合金バネ３５と接しているので、水の温度が形状記憶させた所定の温度以下の場合には（Ｓ１０１；Ｎｏ）、図３（ａ）の状態、すなわち温度感知バルブ１３は閉じている。水供給路１２内の水が作動温度以上になると、形状記憶合金バネ３５が伸びて図３（ｂ）の状態となり、温度感知バルブ１３を開く（Ｓ１０２）。これにより冷却部１４に水が供給される。水が温度検知バルブ１３を通過している間も、形状記憶合金バネ３５により、常時水の温度がチェックされている（Ｓ１０３）。
【００３８】
形状記憶合金バネ３５に形状記憶させる温度は、任意に設定できる。たとえば、３０℃〜４０℃の範囲で、温度感知バルブ１３が開くように作動温度を設定することができる。また、南国等のように、外気温と太陽光照射により屋上スラブ近くの温度が５０度以上になることが予想されるであろう場合には、４０℃〜４５℃などの比較的高い温度で温度感知バルブ１３が開くように作動温度を設定することもできる。特に、屋上スラブ等のように直射日光の当たる場所では、スラブに近い位置では、輻射熱により外気温よりも相当高温となることが予想される。例えば、水供給路１２及び温度感知バルブ１３を、スラブの位置から１０ｃｍ程度離して設置した場合には、外気温よりも１０℃から２０℃ほど高い温度となる場合もある。温度感知バルブ１３の作動温度は、これらの輻射熱等の温度環境条件を考慮した上で設定することが好ましい。
【００３９】
外気温等により暖められた水供給路１２の水がすべて冷却部１４に供給されると、水供給源である給水塔１１からの水が温度感知バルブ１３に供給される。給水塔１１には大量の水が貯蔵されているので外気温の影響を受け難いため、給水塔１１の水は作動温度よりも低い。そのため、温度感知バルブ１３は水の温度が作動温度以下に下がっていることを検知し（Ｓ１０３；Ｙｅｓ），温度感知バルブ１３を閉じる。（Ｓ１０４）。これにより、冷却部１４への水の供給は停止される。したがって、水供給路１２に貯蔵されている水が通過する間だけ温度感知バルブ１３が解放され、一定量の水が冷却部１４に供給される。
【００４０】
本発明の他の実施形態として、温度感知バルブ１３の上流側または下流側に第２のバルブ（図示せず）を設けることができる。第２のバルブは手動で開閉するように構成しても、電磁弁により電気的に開閉するようにしてもよい。これにより、降雨時に第２のバルブを閉じて、水の供給を停止することができる。降雨時には、冷却部１４に雨水が供給されるため、仮に外気温が作動温度以上に上昇したとしても、給水塔１１などの水供給源から水を供給する必要はない。そのために、第２のバルブを閉じて、水の供給を停止するのである。これにより、水資源の無駄な消費を抑制可能となる。また、冷却部１４に過剰の水を供給することを抑制可能となる。
【００４１】
また、雨水センサ（図示せず）を設けて、第２のバルブの開閉を自動的に制御するようにしても良い。図５に、雨水センサ及び第２のバルブを設けた本発明にかかる建造物冷却システムの第２の実施形態の動作フローチャートを示す。雨水センサが降雨を感知していないときには、第２のバルブは常時開いている。
【００４２】
図５の実施形態では、まず、雨水センサが降雨を検知したかどうかが確認される（Ｓ２０１）。降雨を検知すると（Ｓ２０１；Ｙｅｓ）、電磁弁等で駆動される第２のバルブを閉じる（Ｓ２０６）。これにより、温度感知バルブ１３の開閉動作とは無関係に、第２のバルブにより降雨時の水の供給は停止される。雨水センサが降雨を感知していない場合には（Ｓ２０１；Ｎｏ）、図４のフローチャートで説明したと同様の手順により、温度感知バルブ１３により水の供給が制御される（Ｓ２０２〜Ｓ２０５）。
【００４３】
以上の説明においては、水供給源として給水塔１１を例示したが、所定の圧力を有する水供給源であれば、特に給水塔に制限されず、どのような水供給源であっても良い。たとえば、ビルの屋上等において水道水が所定の圧力を有している場合には調節水道水を水供給路１２に供給しても良い。また、ビルの地階からポンプ等を通じて水道水等を供給している給水システムの場合には、当該給水システムの水を直接水供給路１２に供給しても良い。また、何らかの目的で、散水などの目的で既に大型の雨水などの集水タンクが屋上に設置されている場合には、それを用いることができる。
【００４４】
また、図１の例では、屋上スラブに水供給路１２及び冷却部１４を設けたが、これらを側面外壁、その他の部分に設けるように構成しても良い。
【００４５】
尚、本発明のシステムは、建造物の屋外スラブに設けて建造物の冷却に用いるが、このシステムを公園や農業用地等の冷却を目的として、地上に直接設置することもでき、この場合でも、同様の効果が得られる。
【図面の簡単な説明】
【００４６】
【図１】（ａ）は、本発明の一実施例にかかる建造物冷却システム１０をビルの屋上スラブ上に設置した例を示す図であり、（ｂ）は、建造物冷却システムに使用可能な水供給路の他の実施例を示す斜視図である。
【図２】本発明に使用可能な形状記憶合金バネ３５とバイアスバネ３６を用いた円柱形状の温度感知バルブを示す一部破断斜視図である。
【図３】（ａ）は、温度感知バルブの弁部材が閉じた状態を模式的に示す断面図、（ｂ）はバルブの弁部材が開いた状態を模式的に示す断面図である。
【図４】本発明の建造物冷却システムの動作を示すフローチャートである。
【図５】本発明の他の実施例にかかる建造物冷却システムの動作を示すフローチャートである。
【符号の説明】
【００４７】
１０  建造物給水システム
１１  給水塔（水供給源）
１２，１２ｂ  水供給路
１３  温度感知バルブ
１４  冷却部
１５  シート内配水管
１８  板状部材
２０  バルブ枠体
２１  入口隔壁
２２  開閉部隔壁
２３  出口隔壁
２４  スペース保持部材
２５  入口開口
２６  弁部開口
２７  出口開口
３０  駆動軸部
３１  バネ台座
３２  弁部材
３３  突出部
３５  形状記憶合金バネ
３６  バイアスバネ
５０  屋上スラブ
【図１】
2009057772.tif 000003
【図２】
2009057772.tif 000004
【図３】
2009057772.tif 000005
【図４】
2009057772.tif 000006
【図５】
2009057772.tif 000007